(57)【要約】【課題】  絨毯の毛の傾斜跡ができるだけ一定方向を向くようにし、修復の際に、傾斜跡を逆向きの所定方向に倒すようにする修復で済むようにし、修復効率の向上を図る。【解決手段】  ベース板１の下面３に、下面３上の一方向Ｒａに沿って延びる突条１０をこの一方向Ｒａに直交する他方向Ｒｂに沿って複数列突設し、各突条１０を、下面３に連接される一対の基端縁１１，１２及び尖った先端縁１３を有するとともに、一方の基端縁１１から先端縁１３に向かう一方面１４及び他方の基端縁１２から先端縁１３に向かう他方面１５を有して構成し、突条１０の一方面１４の基端縁１１から先端縁１３に向かう全部を傾斜面に形成し、他方面１５の基端縁１２から先端縁１３に向かう高さＨの少なくとも２／３以上を下面３に直交する垂直面１６に形成した。【選択図】図３
2016030007.tif 000002
【特許請求の範囲】
【請求項１】
上面及び下面を有したベース板の下面に、該下面上の一方向に沿って延びる突条を該一方向に直交する他方向に沿って複数列突設し、上記各突条を、上記下面に連接される一対の基端縁及び尖った先端縁を有するとともに、一方の基端縁から先端縁に向かう一方面及び他方の基端縁から先端縁に向かう他方面を有して構成した家具用受台において、
上記突条の一方面の基端縁から先端縁に向かう全部を傾斜面に形成し、上記他方面の基端縁から先端縁に向かう高さの少なくとも２／３以上を上記下面に直交する垂直面に形成したことを特徴とする家具用受台。
【請求項２】
上記複数の突条の全部若しくは一部において、他方面の先端縁側の先端面を傾斜面に形成したことを特徴とする請求項１記載の家具用受台。
【請求項３】
上記突条の先端縁を通る垂直線に対する上記一方面の傾斜角度θを、１５°≦θ≦４５°にしたことを特徴とする請求項１または２記載の家具用受台。
【請求項４】
上記突条の先端縁を円弧状に面取り形成したことを特徴とする請求項１乃至３何れかに記載の家具用受台。
【請求項５】
上記突条の列間隔であるピッチＰを一定にし、該ピッチＰを、１０ｍｍ≦Ｐ≦３０ｍｍに設定したことを特徴とする請求項１乃至４何れかに記載の家具用受台。
【請求項６】
上記ベース板の上面に滑り止めシートを貼着したことを特徴とする請求項１乃至５何れかに記載の家具用受台。
【請求項７】
上記ベース板に、上記下面から上面に亘って貫通するネジの取付孔を複数形成したことを特徴とする請求項１乃至６何れかに記載の家具用受台。
【請求項８】
上記ベース板を、上記下面から見て上記一方向に沿う第１辺，該第１辺に直交し上記他方向に沿う第２辺及び傾斜した第３辺を有した直角正三角形に形成し、上記第１辺を構成する第１側面，上記第２辺を構成する第２側面及び上記第３辺を構成する第３側面を有した板状に形成し、上記突条の垂直面が上記第１側面に平行になるように形成したことを特徴とする請求項１乃至７何れかに記載の家具用受台。
【請求項９】
上記各突条を、上記第２辺から第３辺に亘って連続形成し、上記下面に沿う他方向に平行な基線に沿って突条を所定幅切除し、該基線に沿う通路を形成したことを特徴とする請求項８記載の家具用受台。
【請求項１０】
上記第１側面及び第２側面に、上記上面に支持された家具の下縁と床面との間を塞ぐ帯状体を止着するための小孔を設けたことを特徴とする請求項８または９記載の家具用受台。
【請求項１１】
上記請求項８乃至９何れかに記載の家具用受台であって、形状を同じにする家具用受台を４つ備えたことを特徴とする家具用受台セット。
【発明の詳細な説明】
【技術分野】
【０００１】
本発明は、箪笥，書棚，キャビネット，テーブル，ベッド等の種々の家具を受ける家具用受台に係り、特に、床に敷設された毛のある絨毯上に設置されて有効な家具用受台及び家具用受台セットに関する。
【背景技術】
【０００２】
一般に、例えば、床に敷設した毛のある絨毯（カーペット）上に家具を載置すると、その重さで絨毯の毛が潰されてへこみ跡がつき、例えば、家具を別の場所に移動したり、引越しにより部屋を明け渡す際に、そのままであると、見栄えを損ねる。そのため、スチームや掃除機などの吸引機による吸引などで修復を行うが、この場合、へこみ跡の癖が強いと修復しにくいことから、修復を容易にするために、家具を載置する際に、家具用受台を用いて家具を支持し、へこみ跡の癖を付きにくくし、あるいは、へこみ跡の癖が付いてもできるだけ弱くなるようにすることを行っている。
【０００３】
従来、この種の家具用受台としては、例えば、家具を受ける上面及び床側の下面を有したベース板と、このベース板の下面に突設される複数のピンとを備えたものがある。これにより、ピンが床に支持されるので、また、ピンによる押圧部の跡は点なので目立ちにくく、また、ベース板の下面が浮き上がるようになって絨毯の毛の押圧力が弱くなり、それだけ、へこみ跡の癖が付きにくく、付いてもその癖が弱いものになり、修復を容易にしている。
【０００４】
ところで、ベース板に突設されるピンは、点支持になるので、強度的に劣る問題がある。そのため、従来においては、例えば、図１１及び図１２に示すように、家具用受台Ｄａとして、ベース板１００の下面１０１に、下面１０１上の一方向Ｒａに沿って延びる一対の突条１０２を、一方向に直交する他方向Ｒｂに沿って複数列（図では２列）突設したものがある。各突条１０２は、下面１０１に連接される一対の基端縁１０３，１０４及び尖った先端縁１０５を有するとともに、一方の基端縁１０３から先端縁１０５に向かう傾斜面からなる一方面１０６及び他方の基端縁１０４から先端縁１０５に向かう傾斜面からなる他方面１０７を有して構成されている。これにより、突条１０２を突設したので、ピンに比較して支持強度が強くなる。また、先端縁１０５が尖っているので、絨毯Ｍにおいて、突条１０２の押圧部の跡は線なので目立ちにくく、また、ベース板１００の下面１０１が浮き上がるようになって絨毯Ｍの毛Ｍａの押圧力が弱くなり、それだけ、へこみ跡の癖が付きにくく、付いてもその癖が弱いものになり、修復を容易にしている（例えば、特開昭４８−９４５６８号公報参照）。
【先行技術文献】
【特許文献】
【０００５】
【特許文献１】特開昭４８−９４５６８号公報
【発明の概要】
【発明が解決しようとする課題】
【０００６】
しかしながら、この従来の家具用受台Ｄａにおいては、図１２に示すように、各突条１０２は、傾斜面からなる一方面１０６及び傾斜面からなる他方面１０７を有しており、この一方面１０６の傾斜方向と他方面１０７の傾斜方向は互いに相反する方向なので、絨毯Ｍの毛Ｍａが先端縁１０５から左右異なる方向に押し曲げられて、多少なりとも傾斜跡が付くようになる。そのため、この一方面１０６及び他方面１０７による絨毯Ｍの毛Ｍａの傾斜跡の癖は弱いものの、修復を行う際には、絨毯Ｍの毛Ｍａを互いに逆向きに倒すようにしなければならないので、それだけ修復がやりにくく、修復効率に劣るという問題があった。
【０００７】
本発明は、このような問題点に鑑みてなされたもので、絨毯の毛の傾斜跡ができるだけ一定方向を向くようにし、修復の際に、傾斜跡を逆向きの所定方向に倒すようにする修復で済むようにし、修復効率の向上を図った家具用受台及び家具用受台セットを提供することを目的とする。
【課題を解決するための手段】
【０００８】
このような目的を達成するため、本発明の家具用受台は、上面及び下面を有したベース板の下面に、該下面上の一方向に沿って延びる突条を該一方向に直交する他方向に沿って複数列突設し、上記各突条を、上記下面に連接される一対の基端縁及び尖った先端縁を有するとともに、一方の基端縁から先端縁に向かう一方面及び他方の基端縁から先端縁に向かう他方面を有して構成した家具用受台において、上記突条の一方面の基端縁から先端縁に向かう全部を傾斜面に形成し、上記他方面の基端縁から先端縁に向かう高さの少なくとも２／３以上を上記下面に直交する垂直面に形成した構成としている。
【０００９】
これにより、例えば、矩形底面を有した箪笥などの家具を床に敷設した毛のある絨毯に載置するときは、複数の家具用受台を家具の支持部位に対応させて絨毯上にそのベース板の下面を下にして設置するとともに、家具を家具用受台のベース板の上面に載置する。家具用受台には、家具の荷重が作用して絨毯側に押圧されるが、突条は、その先端縁が尖っているので、絨毯の毛を掻き分けるように入り込み、絨毯に対しては線接触する。また、突条の一方面は傾斜面に形成されているので絨毯の毛はこの傾斜面に倣って傾斜する。一方、突条の他方面は、基端縁から先端縁に向かう高さの少なくとも２／３以上が垂直面に形成されているので、絨毯の毛はこの垂直面に倣ってほぼ直立する状態になる。この状態では、ベース板は突条に支持され、突条はその先端縁での線接触支持になることから、ピンの点支持に比較して支持強度が高くなり、確実に家具を支持することができる。
【００１０】
そして、例えば、家具を別の場所に移動したり、引越しにより部屋を明け渡す際に、家具及び家具用受台を取り除いても、絨毯の家具用受台が設置されていた部位には、へこみ跡が残るが、ほとんど目立たなくなる。即ち、先ず、基本的には、突条によりベース板の下面が浮き上がるようになるので、絨毯の毛がほとんど押圧されないことから、へこみ跡の癖が付きにくく、付いてもその癖が弱いものになる。また、突条の先端縁は絨毯に対しては線接触になり、また、絨毯の毛内に入り込むことから、先端縁による押圧部位はほとんど目立たなくなる。突条の他方面は、基端縁から先端縁に向かう高さの少なくとも２／３以上が垂直面に形成されているので、絨毯の毛はこの垂直面に倣ってほぼ直立する状態になることからこの垂直面に倣う部位もほとんど目立たなくなる。更に、傾斜面で形成される一方面に倣った絨毯の毛も僅かに傾斜するだけなのでほとんど目立たなくなる。
【００１１】
それでも、僅かでもへこみ跡を修復するときは、例えば、スチームや掃除機などの吸引機による吸引などを用いて修復を行う。この場合、特に、傾斜面で形成される一方面に倣い僅かに傾斜した絨毯の毛の傾斜跡を、垂直になるようにするが、複数の突条の一方面は全て一定方向に傾斜しているので、絨毯の毛の傾斜跡がほとんど一定方向を向くようになり、そのため、従来のように傾斜跡が互いに相反する２方向に傾斜している場合に比較して、傾斜跡を逆向きの所定方向に倒すようにする修復で済むようになり、それだけ、絨毯の毛を起こしやすく、修復効率の向上を図ることができる。
【００１２】
そして、必要に応じ、上記複数の突条の全部若しくは一部において、他方面の先端縁側の先端面を傾斜面に形成した構成としている。これにより、突条の他方面の基端縁から先端縁に向かう全部を垂直面に形成した場合の先端縁の角度に比較して、先端縁の角度が大きくなるので、鋭利さが減少し、それだけ、支持が安定する。この場合、突条の他方面は、基端縁から先端縁に向かう高さの少なくとも２／３以上が垂直面に形成されているので、絨毯の毛をこの垂直面に倣ってほぼ直立する機能が損なわれることがない。
【００１３】
また、必要に応じ、上記突条の先端縁を通る垂直線に対する上記一方面の傾斜角度θを、１５°≦θ≦４５°にした構成としている。望ましくは、２５°≦θ≦３５°である。この範囲で、絨毯の毛の傾斜をできるだけ抑えることができるとともに、支持を安定化させることができる。
【００１４】
更に、必要に応じ、上記突条の先端縁を円弧状（アール状）に面取り形成した構成としている。鋭角に比較して支持が安定する。また、取り扱い時の安全が図られる。
【００１５】
更にまた、必要に応じ、上記突条の列間隔であるピッチＰを一定にし、該ピッチＰを、１０ｍｍ≦Ｐ≦３０ｍｍに設定した構成としている。望ましくは、１５ｍｍ≦Ｐ≦２５ｍｍである。この範囲で支持を安定化させることができる。
【００１６】
また、必要に応じ、上記ベース板の上面に滑り止めシートを貼着した構成としている。地震などによっても家具を動きにくくすることができ、家具をより一層安定して支持することができる。
【００１７】
更に、必要に応じ、上記ベース板に、上記下面から上面に亘って貫通するネジの取付孔を複数形成した構成としている。ベース板をネジで家具に固定することができ、この点でも支持を安定化することができる。
【００１８】
そしてまた、必要に応じ、上記ベース板を、上記下面から見て上記一方向に沿う第１辺，該第１辺に直交し上記他方向に沿う第２辺及び傾斜した第３辺を有した直角正三角形に形成し、上記第１辺を構成する第１側面，上記第２辺を構成する第２側面及び上記第３辺を構成する第３側面を有した板状に形成し、上記突条の垂直面が上記第１側面に平行になるように形成した構成としている。
一般に、家具として矩形底面を有している家具が多いので、直角正三角形のベース板の直角の角部を家具の底面のコーナ部に対応して設けることができる。また、ベース板を矩形板状に形成する場合に比較して、面積を小さくすることができるので、それだけ小型にすることができ、製造コストを下げることができる。
【００１９】
この場合、必要に応じ、上記各突条を、上記第２辺から第３辺に亘って形成し、上記下面に沿う他方向に平行な基線に沿って突条を所定幅切除し、該基線に沿う通路を形成した構成としている。通路を形成したので、この通路に、電気配線コードを引き通すことができる。
【００２０】
更に、この場合、必要に応じ、上記第１側面及び第２側面に、上記上面に支持された家具の下縁と床面との間を塞ぐ帯状体を止着するための小孔を設けた構成としている。帯状体で家具の下縁と床面との間を塞ぐことができるので、見栄えをよくすることができる。この場合、帯状体の取付けを容易にすることができる。
【００２１】
また、本発明は、上記のベース板を直角正三角形に形成した家具用受台であって、形状を同じにする家具用受台を４つ備えた家具用受台セットにある。一般に、家具として矩形底面を有している家具が多いので、これに対応することができる。市販するときや、収納時には、一対の家具用受台を斜辺である第３辺同士を接合させて矩形状にし、この矩形状にした一対の家具用受台の組を２組並べ、あるいは、積層して収納箱などに収納しておく。極めてコンパクトにすることができ、収納や搬送が容易になる。また、４つの家具用受台の形状を同じに形成したので、樹脂成形する場合に成形型の種類が１種類で済み、製造効率が良いものとなる。
【００２２】
そして、４つの各家具用受台を、その直角正三角形のベース板の直角の角部が家具の底面のコーナ部に対応するように設置した場合、４つの家具用受台の形状は同じに形成されているので、隣接する家具用受台の突条同士において、これらの長手方向が互いに直交する関係に配置されることになり、そのため、家具をより一層動きにくくすることができる。尚、へこみ跡を修復するときは、隣接する家具用受台の設置された絨毯の各へこみ跡同士において、絨毯の毛の傾斜跡の傾斜の向きが異なるが、へこみ跡は間隔を隔てて存在するので、修復に支障を与えることはない。
【発明の効果】
【００２３】
本発明によれば、家具の支持部位に対応させて絨毯上にそのベース板の下面を下にして設置し、家具をベース板の上面に載置すると、家具の荷重が作用して絨毯側に押圧されるが、ベース板は突条に支持され、突条はその先端縁での線接触支持になることから、ピンの点支持に比較して支持強度が高くなり、確実に家具を支持することができる。そして、例えば、家具を別の場所に移動したり、引越しにより部屋を明け渡す際に、家具及び家具用受台を取り除いても、絨毯の家具用受台が設置されていた部位には、へこみ跡が残るが、ほとんど目立たなくなる。即ち、先ず、基本的には、突条によりベース板の下面が浮き上がるようになるので、絨毯の毛がほとんど押圧されないことから、へこみ跡の癖が付きにくく、付いてもその癖が弱いものになる。また、突条の先端縁は絨毯に対しては線接触になり、また、絨毯の毛内に入り込むことから、先端縁による押圧部位はほとんど目立たなくなる。突条の他方面は、基端縁から先端縁に向かう高さの少なくとも２／３以上が垂直面に形成されているので、絨毯の毛はこの垂直面に倣ってほぼ直立する状態になることからこの垂直面に倣う部位もほとんど目立たなくなる。更に、傾斜面で形成される一方面に倣った絨毯の毛も僅かに傾斜するだけなのでほとんど目立たなくなる。
【００２４】
また、へこみ跡を修復する際、特に、傾斜面で形成される一方面に倣い僅かに傾斜した絨毯の毛の傾斜跡を、垂直になるようにするが、複数の突条の一方面は全て一定方向に傾斜しているので、絨毯の毛の傾斜跡が一定方向を向くようになり、そのため、従来のように傾斜跡が互いに相反する２方向に傾斜している場合に比較して、傾斜跡を逆向きの所定方向に倒すようにする修復で済むようになり、それだけ、絨毯の毛を起こしやすく、修復効率の向上を図ることができる。
【図面の簡単な説明】
【００２５】
【図１】本発明の実施の形態に係る家具用受台を示す下面側から見た斜視図である。
【図２】本発明の実施の形態に係る家具用受台を示す上面側から見た斜視図である。
【図３】本発明の実施の形態に係る家具用受台を示し、（ａ）は下面側から見た平面図、（ｂ）は正面図、（ｃ）は側面図である。
【図４】本発明の実施の形態に係る家具用受台セットを、家具用受台を集合させた状態で示す斜視図である。
【図５】本発明の実施の形態に係る家具用受台セットの４つの家具用受台を床面に設置した状態で示す底面図である。
【図６】本発明の実施の形態に係る家具用受台セットにおいて、家具用受台間に帯状体を付設した状態を示す図である。
【図７】本発明の実施の形態に係る家具用受台の作用を示す部分拡大図である。
【図８】本発明の別の実施の形態に係る家具用受台を示す下面側から見た斜視図である。
【図９】本発明の別の実施の形態に係る家具用受台を示し、（ａ）は下面側から見た平面図、（ｂ）は正面図、（ｃ）は側面図である。
【図１０】本発明の別の実施の形態に係る家具用受台の作用を示す部分拡大図である。
【図１１】従来の家具用受台の一例を示す図である。
【図１２】従来の家具用受台の不具合を示す部分拡大図である。
【発明を実施するための形態】
【００２６】
以下、添付図面に基づいて本発明の実施の形態に係る家具用受台及び家具用受台セットについて詳細に説明する。
図１乃至図７に示すように、本発明の実施の形態に係る家具用受台Ｄは、上面２及び下面３を有したベース板１と、その下面３に突設した複数の突条１０とを備え、例えば、ポリオキシメチレン等の樹脂で一体成形されている。樹脂の種類はこれに限定されない。
ベース板１は、下面３から見て一方向Ｒａに沿う第１辺４，第１辺４に直交し一方向Ｒａに直交する他方向Ｒｂに沿う第２辺５，第１辺４と第２辺５間の傾斜した第３辺６を有した直角正三角形に形成されており、第１辺４を構成する第１側面７，第２辺５を構成する第２側面８及び第３辺６を構成する第３側面９を有した板状に形成されている。一般に、図５に示すように、家具Ｗとして矩形底面を有している家具Ｗが多いので、直角正三角形のベース板１の直角の角部を家具Ｗの底面のコーナ部に対応して設けることができる。また、ベース板１を矩形板状に形成する場合に比較して、面積を小さくすることができるので、それだけ小型にすることができ、製造コストを下げることができる。
【００２７】
突条１０は、下面３上の一方向Ｒａに沿って延び、一方向Ｒａに直交する他方向Ｒｂに沿って複数列設けられている。実施の形態では、突条１０は５列設けられている。各突条１０は、下面３に連接される一方向Ｒａに沿う一対の基端縁１１，１２及び尖った先端縁１３を有するとともに、一方の基端縁１１から先端縁１３に向かう一方面１４及び他方の基端縁１２から先端縁１３に向かう他方面１５を有して構成されている。また、突条１０の一方面１４は、その基端縁１１から先端縁１３に向かう全部が傾斜面に形成されている。他方面１５は、その基端縁１２から先端縁１３に向かう高さＨの少なくとも２／３以上（実施の形態では２／３）が下面３に直交する垂直面１６を有して形成されている。即ち、突条１０の垂直面１６が第１側面７に平行になるように形成されており、各突条１０において垂直面１６がある他方面１５は第１側面７側に位置している。突条１０の列間隔であるピッチＰは、一定に設定され、ピッチＰは、１０ｍｍ≦Ｐ≦３０ｍｍに設定されている。望ましくは、１５ｍｍ≦Ｐ≦１５ｍｍである。
【００２８】
実施の形態では、ベース板１の第１辺４及び第２辺５の長さＬが、Ｌ＝７８ｍｍ、厚さｔが、ｔ＝６ｍｍに設定されている。また、突条１０は、高さＨが、Ｈ＝６ｍｍに形成され、ベース板１の第１辺４に沿って１つ突設されており、ピッチＰ＝１６ｍｍにして、順次、第３辺６へ向けて列設している。実施の形態では、突条１０は５列設けられている。また、各突条１０は、第２辺５から第３辺６に亘って連続形成されている。更に、下面３に沿う他方向Ｒｂに平行な基線Ｑに沿って、突条１０は、所定幅切除されており、下面３には、基線Ｑに沿う通路１７が形成されている。実施の形態では、基線Ｑは、第１辺４の中央点を通り、通路１７の下面３の所定幅Ｅが、基線Ｑを中心線として、Ｅ＝１０ｍｍになるように、突条１０が切除されている。実施の形態では、通路１７を形成するために切除される突条１０は、ベース板１の第１辺４に沿って突設された突条１０から第３辺６に向けて３つである。
【００２９】
更に、複数の突条１０の全部若しくは一部において、他方面１５の先端縁１３側の先端面１８が傾斜面に形成されている。実施の形態では、ベース板１の第１辺４に沿って突設された突条１０は、その他方面１５の全部を垂直面１６としている。その他の突条１０においては、垂直面１６に連続する他方面１５の先端縁１３側の先端面１８が傾斜面に形成されている。そして、突条１０の先端縁１３を通る垂直線Ｖに対する一方面１４の傾斜角度θは、１５°≦θ≦４５°に設定されている。望ましくは、２５°≦θ≦３５°である。実施の形態では、θ＝３０°に設定されている。
また、突条１０の先端縁１３は、図７に示すように、僅かに円弧状（アール状）に面取り形成されている。取り扱い時の安全が図られる。
【００３０】
更にまた、ベース板１の上面２には、弾性のある樹脂材料で形成された滑り止めシート２０が貼着されている。
また、ベース板１には、下面３から上面２に亘って貫通するネジの取付孔２１が複数形成されている。実施の形態では、取付孔２１は、直角正三角形の角部近傍に形成され、全部で３つ形成されている。
更に、第１側面７及び第２側面８には、図６に示すように、上面２に支持された家具Ｗの下縁と床面との間を塞ぐ帯状体Ｔを止着するための小孔２２が所定間隔で一対ずつ設けられている。帯状体Ｔとしては、例えば、覆いテープや巾木などが用いられる。
【００３１】
次に、本発明の実施の形態に係る家具用受台セットＳについて説明する。図４及び図５に示すように、本家具用受台セットＳは、形状を同じにする上記の家具用受台Ｄを４つ備えて構成されている。４つの家具用受台Ｄの形状を同じに形成したので、樹脂成形する場合に成形型の種類が１種類で済み、製造効率が良いものとなる。また、一般に、家具Ｗとして矩形底面を有している家具Ｗが多いので、これに対応することができる。市販するときや、収納時には、図４に示すように、一対の家具用受台Ｄを斜辺である第３辺６同士を接合させて矩形状にし、この矩形状にした一対の家具用受台Ｄの組を２組並べ、あるいは、積層して収納箱（図示せず）などに収納しておく。極めてコンパクトにすることができ、収納や搬送が容易になる。
【００３２】
従って、本発明の実施の形態に係る家具用受台セットＳを用いて、例えば、矩形底面を有した箪笥などの家具Ｗを床に敷設した毛Ｍａのある絨毯Ｍ（カーペット）に載置するときは、以下のようになる。
図５に示すように、４つの各家具用受台Ｄを、その直角正三角形のベース板１の直角の角部が家具Ｗの底面のコーナ部に対応するように設置するとともに、家具Ｗを家具用受台Ｄのベース板１の上面２に載置する。この場合、ベース板１に形成した取付孔２１にネジをねじ込んで、ベース板１をネジで家具Ｗに固定することができる。この場合には、支持を安定化することができる。また、この場合、図５に示すように、４つの家具用受台Ｄの形状は同じに形成されているので、隣接する家具用受台Ｄの突条１０同士において、これらの長手方向が互いに直交する関係に配置されることになる。
また、家具用受台Ｄを設置するときは、家具Ｗの下に電気配線用のコードを引き通すことができる。この場合、必要に応じ、各突条１０に形成した基線Ｑに沿う通路１７を利用し、この通路１７に電気配線コードを引き通すことができる。
【００３３】
家具Ｗを家具用受台Ｄに載置すると、図７に示すように、家具用受台Ｄは、家具Ｗの荷重により絨毯Ｍ側に押圧されるが、突条１０は、その先端縁１３が尖っているので、絨毯Ｍの毛Ｍａを掻き分けるように入り込み、絨毯Ｍに対しては線接触する。また、突条１０の一方面１４は傾斜面に形成されているので絨毯Ｍの毛Ｍａはこの傾斜面に倣って傾斜する。一方、突条１０の他方面１５は、基端縁１２から先端縁１３に向かう高さＨの少なくとも２／３以上が垂直面１６に形成されているので、絨毯Ｍの毛Ｍａはこの垂直面１６に倣ってほぼ直立する状態になる。この状態では、ベース板１は突条１０に支持され、突条１０はその先端縁１３での線接触支持になることから、ピンの点支持に比較して支持強度が高くなり、確実に家具Ｗを支持することができる。
【００３４】
また、家具Ｗを載置した状態では、図６に示すように、家具Ｗの下縁と絨毯Ｍ（床面）との間を塞ぐ帯状体Ｔを止着することができる。この場合には、隣接する家具用受台Ｄにおいて、一方の家具用受台Ｄの第１側面７と他方の家具用受台Ｄの第２側面８間に、帯状体Ｔを架設し該当する第１側面７及び第２側面８に形成した小孔２２にビスをねじ込むなどして止着する。小孔２２を利用できるので帯状体Ｔの取付けを容易にすることができる。これにより、帯状体Ｔで家具Ｗの下縁と床面との間を塞ぐことができるので、見栄えをよくすることができる。
【００３５】
そして、家具Ｗを家具用受台Ｄに支持した状態では、各家具用受台Ｄにおいて、複数の突条１０のうちベース板１の第１辺４に沿って突設された突条１０以外の突条１０は、垂直面１６に連続する他方面１５の先端縁１３側の先端面１８が傾斜面に形成されているので、先端縁１３の角度が大きくなっており、そのため、鋭利さが減少し、それだけ、支持が安定する。また、突条１０の先端縁１３を円弧状（アール状）に面取り形成したので、鋭角に比較して支持が安定する。更に、突条１０のピッチＰを、１０ｍｍ≦Ｐ≦３０ｍｍ、望ましくは、１５ｍｍ≦Ｐ≦２５ｍｍに設定しているので、この点でも支持を安定化させることができる。
【００３６】
また、ベース板１の上面２には、滑り止めシート２０が貼着されているので、地震などによっても家具Ｗを動きにくくすることができ、家具Ｗをより一層安定して支持することができる。更に、家具Ｗを支持した状態では、図５に示すように、４つの家具用受台Ｄの形状は同じに形成されているので、隣接する家具用受台Ｄの突条１０同士において、これらの長手方向が互いに直交する関係に配置されることになる。そのため、家具Ｗをより一層動きにくくすることができる。尚、後述するへこみ跡を修復するときは、隣接する家具用受台Ｄの設置された絨毯Ｍの各へこみ跡同士において、絨毯Ｍの毛Ｍａの傾斜跡の傾斜の向きが異なるが、へこみ跡は間隔を隔てて存在するので、修復に支障を与えることはない。
【００３７】
そして、例えば、家具Ｗを別の場所に移動したり、引越しにより部屋を明け渡す際に、家具Ｗ及び家具用受台Ｄを取り除いても、絨毯Ｍの家具用受台Ｄが設置されていた部位には、へこみ跡が残るが、ほとんど目立たなくなる。即ち、先ず、基本的には、突条１０によりベース板１の下面３が浮き上がるようになるので、絨毯Ｍの毛Ｍａがほとんど押圧されないことから、へこみ跡の癖が付きにくく、付いてもその癖が弱いものになる。また、突条１０の先端縁１３は絨毯Ｍに対しては線接触になり、また、絨毯Ｍの毛Ｍａ内に入り込むことから、先端縁１３による押圧部位はほとんど目立たなくなる。突条１０の他方面１５は、基端縁１２から先端縁１３に向かう高さの少なくとも２／３以上が垂直面１６に形成されているので、絨毯Ｍの毛Ｍａはこの垂直面１６に倣ってほぼ直立する状態になることからこの垂直面１６に倣う部位もほとんど目立たなくなる。更に、傾斜面で形成される一方面１４に倣った絨毯Ｍの毛Ｍａも僅かに傾斜するだけなのでほとんど目立たなくなる。即ち、突条１０の先端縁１３を通る垂直線に対する上記一方面１４の傾斜角度θを、１５°≦θ≦４５°、望ましくは、２５°≦θ≦３５°に設定しているので、この範囲で、絨毯Ｍの毛Ｍａの傾斜をできるだけ抑えることができるとともに、支持を安定化させることができる。
【００３８】
それでも、僅かでもへこみ跡を修復するときは、例えば、スチームや掃除機などの吸引機による吸引などを用いて修復を行う。この場合、特に、傾斜面で形成される一方面１４に倣い僅かに傾斜した絨毯Ｍの毛Ｍａの傾斜跡を、垂直になるようにするが、複数の突条１０の一方面１４は全て一定方向に傾斜しているので、絨毯Ｍの毛Ｍａの傾斜跡がほとんど一定方向を向くようになり、そのため、従来のように傾斜跡が互いに相反する２方向に傾斜している場合に比較して、傾斜跡を逆向きの所定方向に倒すようにする修復で済むようになり、それだけ、絨毯Ｍの毛Ｍａを起こしやすく、修復効率の向上を図ることができる。
【００３９】
図８乃至図１０には、突条１０の別の例を示している。この突条１０において、上記と同様に、その一方面１４は、その基端縁１１から先端縁１３に向かう全部が傾斜面に形成されている。上記と異なって、その他方面１５は、その基端縁１２から先端縁１３に向かう高さの全部が下面３に直交する垂直面１６に形成されている。これによっても上記と同様の作用，効果を奏する。
【００４０】
尚、上記実施の形態において、ベース板１の形状や大きさ、突条１０の形状や大きさ、突条１０の数や列数は上記の数値に限定されるものではなく、適宜変更して差支えない。また、上記実施の形態では、毛Ｍａのある絨毯Ｍ（カーペット）に家具Ｗを設置する場合で説明したが、必ずしもこれに限定されるものではなく、毛Ｍａの無い絨毯Ｍ（カーペット）やマットをはじめ、畳，床板などどのような床面においても用いて良いことは勿論である。
【産業上の利用可能性】
【００４１】
一般に、例えば、コンクリート建ての賃貸マンションにおいては、コンクリートの床に下地を介して絨毯を敷設している。この絨毯上に家具を載置すると、その重さで絨毯の毛が潰されてへこみ跡がつき、例えば、引越しにより部屋を明け渡す際に、そのままであると、見栄えを損ねる。そのため、絨毯Ｍの張替えをすることも行うが、コストが嵩むので、スチームや掃除機などの吸引機による吸引などで修復を行う。本発明によれば、この修復が容易で確実になるので、このような賃貸マンションでの利用が期待できる。
【符号の説明】
【００４２】
Ｄ  家具用受台
Ｓ  家具用受台セット
Ｗ  家具
Ｍ  絨毯
Ｍａ  毛
１  ベース板
２  上面
３  下面
Ｒａ  一方向
Ｒｂ  他方向
４  第１辺
５  第２辺
６  第３辺
７  第１側面
８  第２側面
９  第３側面
１０  突条
１１，１２  基端縁
１３  先端縁
１４  一方面
１５  他方面
１６  垂直面
Ｑ  基線
１７  通路
１８  先端面
Ｖ  垂直線
２０  滑り止めシート
２１  取付孔
Ｔ  帯状体
２２  小孔
【図１】
2016030007.tif 000003
【図２】
2016030007.tif 000004
【図３】
2016030007.tif 000005
【図４】
2016030007.tif 000006
【図５】
2016030007.tif 000007
【図６】
2016030007.tif 000008
【図７】
2016030007.tif 000009
【図８】
2016030007.tif 000010
【図９】
2016030007.tif 000011
【図１０】
2016030007.tif 000012
【図１１】
2016030007.tif 000013
【図１２】
2016030007.tif 000014